(57)【要約】  光偏向基材は、後方主面、及び後方主面の反対側の前方主面を備える。後方主面は光反射領域及び光透過領域を有する。前方主面は複数のレンチキュラーレンズ要素を有する。グラフィック画像が、光偏向基材上又は光偏向基材内に配置される。
2013516646.tif 000002
【特許請求の範囲】
【請求項１】
光偏向基材であって、
光反射領域及び光透過領域を有する後方主面と、
複数のレンチキュラーレンズ要素を有する、前記後方主面の反対側の前方主面と、
前記光偏向基材上又は前記光偏向基材内に配置されたグラフィック画像と、を備える、光偏向基材。
【請求項２】
前記グラフィック画像が、前記前方主面上又は前記前方主面に隣接して配置される、請求項１に記載の光偏向基材。
【請求項３】
前記グラフィック画像が、前記後方主面上又は前記後方主面に隣接して配置される、請求項１又は２に記載の光偏向基材。
【請求項４】
前記グラフィック画像が、前記前方主面と前記後方主面との間に配置される、請求項１又は２に記載の光偏向基材。
【請求項５】
前記複数のレンチキュラーレンズ要素が、前記光偏向基材の所定の長さにわたって同一の拡がりを有する直線状のレンチキュラーレンズ要素である、請求項１〜４のいずれか一項に記載の光偏向基材。
【請求項６】
前記レンチキュラーレンズ要素が、前記光偏向基材の所定の長さにわたって同一の拡がりを有する所定の長さ、及び、１ｍｍよりも大きい幅を有する、請求項１〜５のいずれか一項に記載の光偏向基材。
【請求項７】
前記光透過領域が、前記レンチキュラーレンズ要素と位置合わせされている、請求項１〜６のいずれか一項に記載の光偏向基材。
【請求項８】
前記光反射領域が前記後方主面からの光を反射し、更に前記前方主面を介して光を反射する、請求項１〜７のいずれか一項に記載の光偏向基材。
【請求項９】
前記光透過領域が、２５００マイクロメートルよりも大きい厚さを有する、請求項１〜８のいずれか一項に記載の光偏向基材。
【請求項１０】
光偏向基材であって、
複数のレンチキュラーレンズ要素を有する前面、及び反対側の後面を有するレンズ要素と、
前記後面に隣接するパターン形成リフレクタであって、光反射領域、及び前記複数のレンチキュラーレンズ要素と位置合わせされた光透過領域を有する、パターン形成リフレクタと、
前記後面と前記パターン形成リフレクタとの間に配置されたグラフィック画像と、を備える、光偏向基材。
【請求項１１】
前記パターン形成リフレクタが、エラストマー材料を含む、請求項１０に記載の光偏向基材。
【請求項１２】
前記後面が複数の凹部を有し、前記パターン形成リフレクタが、前記複数の凹部と嵌合するように構成された複数の凸部を有する、請求項１０又は１１に記載の光偏向基材。
【請求項１３】
前記後面上に低屈折率コーティングが配置される、請求項１０〜１２のいずれか一項に記載の光偏向基材。
【請求項１４】
前記グラフィック画像及び前記後面の一部が空気間隙によって分離される、請求項１０〜１３のいずれか一項に記載の光偏向基材。
【請求項１５】
照明標識であって、
光反射面及び発光面を有する封入構造と、
前記封入構造の内部に配置された光源と、
前記発光面の少なくとも一部を形成する自立式の光偏向基材であって、
複数のレンチキュラーレンズ要素を有する前面、及び反対側の後面を有するレンズ要素と、
前記封入構造の内面の一部を形成する、前記後面に隣接するパターン形成リフレクタであって、前記後面が光反射領域及び光透過領域を有し、前記光反射領域又は前記光透過領域が前記後方主面に凹部を形成する、パターン形成リフレクタと、
複数のレンチキュラーレンズ要素を有する、前記後面の反対側の前方主面と、を有する、光偏向基材と、
前記光偏向基材上又は前記光偏向基材内に配置されたグラフィック画像と、を備える、照明標識。
【請求項１６】
前記光反射領域が前記封入構造内に光を反射し、更に前記前方主面を介して光を反射する、請求項１５に記載の照明標識。
【請求項１７】
前記光源が光を放射する場合、及び前記光源が光を放射しない場合に前記グラフィック画像が眼に見える、請求項１６に記載の照明標識。
【請求項１８】
前記グラフィック画像が、前記前方主面上又は前記前方主面に隣接して配置される、請求項１５〜１７のいずれか一項に記載の照明標識。
【請求項１９】
前記グラフィック画像が、前記後方主面上又は前記後方主面に隣接して配置される、請求項１５〜１８のいずれか一項に記載の照明標識。
【請求項２０】
前記グラフィック画像が、前記前方主面と前記後方主面との間に配置される、請求項１５〜１９のいずれか一項に記載の照明標識。
【発明の詳細な説明】
【背景技術】
【０００１】
現在使用されている照明標識技術の主な方式には多くのものがある。第１の方式は、投光照明などの外部光源によって照らされる、表面塗装された標識であり、光源は標識に対して一般的に鋭角で配置される。光エネルギーは、ａ）標識の表面全体（メッセージのみでなく）が照らされ、ｂ）反射された光のかなりの割合が観測者に届かずに空又は地上へと漏れてしまうために浪費される。
【０００２】
照明標識の第２の方式は、光源が半透明の表面（標識に構造的支持を与えうる）の背後に置かれる照明ボックス型標識であり、メッセージは半透明表面バックグラウンドとコントラストをなす文字で半透明表面上に書かれる。示されるべき文字のみが照らされる場合とは対照的に、バックグラウンドを含めた標識の面全体に均等な発光放射を与えるような光エネルギーが発生される。光は上方を含めた全方向に標識から出射するため、発生された光のわずかな部分のみしか観測者の眼に届かないことから、エネルギーが浪費され、相当量の光害を引き起こす。
【０００３】
照明標識の第３の方式としては、それ自体が標識のメッセージを描く光源を備える標識がある。ネオンサイン、露出した白熱フィラメントランプ標識、及びチャンネル文字がこの技術の例である。これらの標識は点灯されていない場合には見えにくく（文字又は記号の下に塗料が塗られていないかぎり）、メッセージを伝えるうえで完全に照明に頼ったものである。これらの標識は顧客に応じて特別に作製されるため、製造、作動、及び維持のコストが嵩み、寿命が短く、壊れやすく、白熱灯方式ではエネルギーの浪費が大きい。
【０００４】
照明標識の第４の方式としては、ＬＥＤマトリクス標識がある。ＬＥＤ技術は、変化するメッセージ標識を生成する目的で利用されている。これらの動的なメッセージ標識はコンピュータ制御されており、関心及び注意を惹く標識を与えるものであり、変化するメッセージを必要とする照明標識の解決策となるものである。
【発明の概要】
【発明が解決しようとする課題】
【０００５】
しかしながら、ほとんどの照明標識は固定されたメッセージのものであり、こうした標識は初期費用が高く、作動及び維持のコストが嵩む。
【課題を解決するための手段】
【０００６】
本開示は、エネルギー効率の高い照明標識に関する。詳細には、本開示は、光を観測者の方向に選択的に偏向する光コリメート基材を備える標識に関する。
【０００７】
例示的な一実施形態において、光偏向基材は、後方主面、及び後方主面の反対側の前方主面を備える。後方主面は光反射領域及び光透過領域を有する。前方主面は複数のレンチキュラーレンズ要素を有する。グラフィック画像が、光偏向基材上又は光偏向基材内に配置される。
【０００８】
これらの機構及び利点、並びに様々な他の機構及び利点は、以下の「発明を実施するための形態」を読むことで明らかになるであろう。
【図面の簡単な説明】
【０００９】
本開示の様々な実施形態についての以下の詳細な説明を添付の図面と併せて考慮することによって本開示のより完全な理解がなされうる。
【図１】例示的な照明標識の分解概略斜視図。
【図２】例示的な照明標識の概略断面図。
【図３】例示的な光偏向基材の概略断面図。
【図４Ａ】光透過領域がレンズ要素の背面の凹部であるような例示的なレンズ要素の概略断面図。
【図４Ｂ】光透過領域がレンズ要素の背面からの凸部であるような別の例示的なレンズ要素の概略断面図。
【図５Ａ】例示的な光偏向基材から光を直接コリメートする例示的な光偏向基材の概略側面図。
【図５Ｂ】例示的な光偏向基材から光を所定の角度でコリメートする例示的な光偏向基材の概略側面図。
【図６Ａ】グラフィック画像がレンチキュラーレンズ要素に隣接している例示的な光偏向基材の概略断面図。
【図６Ｂ】グラフィック画像がレンズ要素の背面に隣接している例示的な光偏向基材の概略断面図。
【図７Ａ】グラフィック画像がレンズ要素の背面に隣接している例示的な光偏向基材の概略断面図。
【図７Ｂ】グラフィック画像がレンズ要素の背面に隣接している例示的な光偏向基材の概略断面図。
【図８Ａ】グラフィック画像がレンズ要素の背面に隣接している例示的な光偏向基材の概略断面図。
【図８Ｂ】グラフィック画像がレンズ要素の背面に隣接している例示的な光偏向基材の概略断面図。
【００１０】
図面の縮尺は必ずしも正確ではない。図中、用いられる同様の数字は、同様の要素を示す。しかしながら、特定の図中のある要素を示す数字の使用は、同じ数字によって示される別の図中のその要素を限定するものではないことは理解されよう。
【発明を実施するための形態】
【００１１】
以下の説明文においては、本明細書の一部を構成し、複数の特定の実施形態を例として示す一連の添付図面を参照する。本開示の範囲及び趣旨から逸脱することなく、他の実施形態が想到され、実施されうる点は理解されるはずである。したがって、以下の詳細な説明は、限定的な意味で解釈されるべきではない。
【００１２】
特に断らないかぎり、本明細書及び添付の「特許請求の範囲」で使用される構造のサイズ、量、及び物理的特性を表わす数字はすべて、いずれの場合においても「約」なる語によって修飾されているものとして理解されるべきである。したがって、そうでないことが示されないかぎり、前述の明細書及び添付の「特許請求の範囲」で示される数値的パラメータは、当業者が本明細書で開示される教示内容を用いて得ようとするところの所望の特性に応じて変化しうる近似的な値である。
【００１３】
内容によってそうでないことが明らかに示されないかぎり、本明細書及び添付の「特許請求の範囲」において使用するところの単数形「ａ」、「ａｎ」、及び「ｔｈｅ」には、複数の指示対象を有する実施形態が含まれる。内容によってそうでないことが明らかに示されないかぎり、本明細書及び添付の「特許請求の範囲」において使用するところの「又は」なる語は、「及び／又は」を含めた意味で広く用いられる。
【００１４】
これらに限定されるものではないが、「下側」、「上側」、「下」、「下方」、「上方」、及び「〜の上」などの空間的に関連した語は、本明細書において用いられる場合、ある要素の別の要素に対する空間的関係を述べるうえで説明を容易にする目的で用いられる。このような空間的に関連した語には、図に示され、本明細書に述べられる特定の向き以外に、使用又は作動中の装置の異なる向きが含まれる。例えば、図に示されるセルが反転又は裏返されるならば、その前には他の要素の下方又は下として述べられた部分は、これらの他の要素の上となるであろう。
【００１５】
本明細書での使用において、ある要素、部材若しくは層が、例えば別の要素、部材若しくは層の「上にある」、これらと「接続される」、「結合される」、若しくは「接触する」として述べられる場合、その要素、部材若しくは層は、例えば、特定の要素、部材若しくは層の直接上にあるか、これらと直接接続されるか、直接結合されるか、直接接触してよく、又は介在する要素、部材若しくは層が特定の要素、部材若しくは層の上にあるか、これらと接続されるか、結合されるか、若しくは接触しうる。例えば、ある要素、部材又は層が、別の要素の「直接上にある」、別の要素に「直接接続される」、「直接結合する」、又は「直接接触する」で始まる表現で表される場合、介在する要素、部材又は層は存在しない。
【００１６】
「グラフィック画像」なる用語には、一様な色彩面（solid color field）、事物の画像（likeness of something）（１以上の色を含みうる）、又はこれらの組み合わせが含まれる。
【００１７】
本開示は、エネルギー効率の高い照明標識に関する。詳細には、本開示は、光を観測者の方向に選択的に偏向する光コリメート基材を備える標識に関する。光コリメート基材は、レンチキュラーコリメートレンズと位置合わせされた光透過窓、及び各光透過窓の間の光反射領域を有している。照明標識を出射する光の角度分布は、レンズの幾何形状、並びにレンズの焦点に対する光透過窓のサイズ及び位置によって決定される。各光透過窓の間の光コリメート基材の内面に入射する光はほぼ反射され、照明標識の封入構造の内部で再利用されてから、光透過窓の表面に入射して、光コリメート基材を通って伝播する。このようにして、照明標識によって放射された光は、制御された輝度の角度分布に適合する。これらの照明標識は、照明が望ましくない場所（例えば、「光害」の低減）では低い輝度を、照明が望ましい場所（例えば、標識の観測者に対して）では高い輝度を、更に／又は、高い放射の空間的均一性を示す。本開示はそのように限定されるものではないが、以下に示す例の考察を通じて本開示の様々な態様の認識が得られるであろう。
【００１８】
図１は、例示的な照明標識１０の分解概略斜視図である。図２は、例示的な照明標識１０の概略断面図である。照明標識１０は、封入構造３０、及び封入構造３０の内部に配置された光源４０を備える。封入構造３０は、光反射面３２、３３及び発光面３４を有する。多くの実施形態において、封入構造３０は、側面３３及び背面３２を有する光箱を構成する。いくつかの実施形態において、背面は完全反射性である。いくつかの実施形態において、背面３２は、図２に示されるような第２の発光面２４を有し、両面照明標識を構成する。
【００１９】
光反射面３２、３３は任意の有用な光反射材料で形成することが可能であり、光効率を最大とするうえで極めて効率的でありうる。多くの実施形態において、光反射面３２、３３は、少なくとも９０％の効率、又は少なくとも９５％の効率である。いくつかの実施形態において、光反射面３２、３３は、反射フィルム又はミラーフィルムであってよい。市販の反射フィルムの１つに、スリー・エム社（3M Company）（ミネソタ州セントポール）からＬｉｇｈｔ  Ｅｎｈａｎｃｅｍｅｎｔ  Ｆｉｌｍの商品名で販売されるものがある。光反射面３２、３３は、拡散反射性又は正反射性であってよい。拡散反射面は、白色塗料又はＴｉＯ２粒子を含む材料であってよい。
【００２０】
光源４０は、任意の有用な光源４０であってよい。いくつかの実施形態において、光源４０は蛍光灯管である。いくつかの実施形態において、光源４０は、例えば発光ダイオードなどの固体素子である。
【００２１】
光偏向基材２０は、発光面３４の少なくとも一部を形成している。光偏向基材２０は自立式であってよく、構造的要素を形成しうる（例えば、照明標識１０の前面又は後面）。多くの実施形態において、光偏向基材２０は２５００マイクロメートル以上の厚さを有しうる。光偏向基材２０は、封入構造３０の内面の一部を形成する後方主面２５を備える。後方主面２５は、光反射領域２６及び光透過領域２７を有している。各光反射領域２６は各光透過領域２７を分離している。前方主面３４が後方主面２５の反対側にある。前面３４は、複数のレンチキュラーレンズ要素２２を有している。光透過領域２７は、レンチキュラーレンズ要素２２の焦点上又はその近傍に配置することができ、光反射領域２６が後方主面２５の残りの領域を占めてよい。
【００２２】
図２は、第２の光偏向基材２１を備える照明標識の一実施形態を示す。第２の光偏向基材２１は、封入構造３０の内面の一部を形成する後方主面３２を備える。後方主面３２は、光反射領域２８及び光透過領域２９を有する。各光反射領域２８は各光透過領域２９を分離している。前方主面２４が後方主面３２の反対側にある。前面２４は、複数のレンチキュラーレンズ要素２３を有している。
【００２３】
多くの実施形態において、レンチキュラーレンズ要素２２、２３は、図１に示されるように光偏向基材の所定の長さにわたって同一の拡がりを有する直線状のレンチキュラーレンズ要素２２、２３である。レンチキュラーレンズ要素２２、２３は任意の有用なレンズ幅を有しうる。多くの実施形態において、レンチキュラーレンズ要素２２、２３は１ｍｍ以上のレンズ幅を有する。
【００２４】
グラフィック画像５０、５１が、照明標識１０の多くの実施形態に含まれる。グラフィック画像５０、５１は、光偏向基材２０、２１の内部又は光偏向基材２０、２１に隣接する任意の有用な位置に配置することができる。図２は、光反射領域２６、２８とレンチキュラーレンズ要素２２、２３との間、又は後方主面２５、３２上に配置されたグラフィック画像５０、５１を示す。光反射領域２６、２８は、光を封入構造３０内へと反射すると同時に、封入構造の外部からの光を前方主面３４、２４を介して反射する。したがって、グラフィック画像は、標識が封入構造３０の内部から照らされる場合、及び、標識１０上に入射する外部光（例えば、日光など）によって照らされる場合に観測者に見えることになる。
【００２５】
図３は、例示的な光偏向基材２０の概略断面図である。光偏向基材２０は、レンチキュラーレンズ要素２２、及び対応するレンチキュラーレンズ要素２２の焦点上又はその近傍に整列又は位置合わせされた光透過領域２７を有している。各光反射領域２６は、各光透過領域２７を分離する残りの領域を占めている。光反射領域２６は、任意の有用な光反射（拡散性又は正反射性）材料で形成することができる。多くの実施形態において、光反射領域２６は、少なくとも９０％の効率、又は少なくとも９５％の効率である。いくつかの実施形態において、光反射領域２６は、反射フィルム又はミラーフィルムであってよい。市販の反射フィルムの１つに、スリー・エム社（3M Company）（ミネソタ州セントポール）からＬｉｇｈｔ  Ｅｎｈａｎｃｅｍｅｎｔ  Ｆｉｌｍの商品名で販売されるものがある。光反射領域２６は、拡散反射性又は正反射性であってよい。拡散反射面は、白色塗料又はＴｉＯ２粒子を含む材料であってよい。
【００２６】
光偏向基材２０は、任意の有用な厚さＴを有してよい。多くの実施形態において、光偏向基材２０は自立式であり、照明標識の前方構造要素を形成しうる。これらの実施形態において、光偏向基材２０は２５００マイクロメートル以上の厚さを有する。レンチキュラーレンズ要素２２は、任意の有用なレンズ幅Ｗを有しうる。多くの実施形態において、レンチキュラーレンズ要素２２は１ｍｍ以上のレンズ幅Ｗを有する。光偏向基材２０は、任意の有用な光透過材料で形成することができる。
【００２７】
図４Ａは、光透過領域２７がレンズ要素２１の背面の凹部であるような例示的なレンズ要素２１の概略断面図である。図４Ｂは、光透過領域２７がレンズ要素２１の背面からの凸部であるような別の例示的なレンズ要素２１の概略断面図である。これらの実施形態はいずれも一体構造として形成することが可能であり、光反射領域をこの一体構造上に適用又は形成することができる。いくつかの実施形態において、図４Ｂの凹部を光反射材料で充填することができる。
【００２８】
図５Ａは、例示的な光偏向基材２０から光６０を直接コリメートする例示的な光偏向基材２０の概略側面図である。光透過領域２７はレンチキュラーレンズ要素２２の焦点上又はその近傍に整列され、封入構造の内部の光源４０からの光６０を光偏向基材２０から垂直方向に外部に偏向する。
【００２９】
図５Ｂは、例示的な光偏向基材２０から光６１を角度θでコリメートする例示的な光偏向基材２０の概略側面図である。光６１はコリメートされ、光偏向基材２０の前面３４から９０°未満の角度で光偏向基材２０から放射される。光透過領域２７はレンチキュラーレンズ要素２２から偏倚しており、封入構造の内部の光源４０からの光６０を光偏向基材２０から「下向きに」偏向する。この実施形態は、照明標識からの「光害」を低減するうえで特に有用である。これにより、光は典型的な地上の観測者から遠ざかる「上向き」には偏向されない。光透過領域２７の幅を変えることにより視角が変わり、光透過領域２７の位置を変えることにより視角を調節することができる。
【００３０】
図６Ａは、グラフィック画像５０がレンチキュラーレンズ要素２２に隣接している例示的な光偏向基材２０の概略断面図である。この実施形態は、外部装飾型標識として分類することができる。グラフィック画像５０は、光透過基材５４上に配置し、かつレンチキュラーレンズ要素２２に隣接して配置することができる。光透過基材５４の外側又は前方主面３４は、光偏向基材２０の発光面又は前方主面３４である。反対側の後方主面２５は、上記に述べたような光反射領域２６及び光透過領域２７を有している。各光反射領域２６は、突出した各光透過領域２７を分離する凹部を形成している。光反射領域２６は、上記に述べたように光反射材料で充填することができる。グラフィック画像５０は、照明標識が封入構造の内部から照らされる場合、及び外部光が光偏向基材２０上に入射するが照明標識の内部の光源によっては照らされない場合に観測者に見える。
【００３１】
図６Ｂは、グラフィック画像５０がレンズ要素の背面２５に隣接している例示的な光偏向基材２０の概略断面図である。この実施形態は、埋め込み装飾型標識として分類することができる。グラフィック画像５０は、光偏向基材２０の後方主面２５上に配置し、かつ光反射領域２６と光透過領域２７との間に配置することができる。この実施形態において、装飾又はグラフィック画像５０は、光透過領域２７及び光反射領域２６を含む、光偏向基材２０の後方主面２５の全体を覆うことができる。各光反射領域２６は、突出した各光透過領域２７を分離する凹部を形成している。光反射領域２６は、上記に述べたように光反射材料で充填することができる。グラフィック画像５０は、照明標識が封入構造の内部から照らされる場合、及び外部光が光偏向基材２０上に入射するが照明標識の内部の光源によっては照らされない場合に観測者に見える。
【００３２】
図７Ａ及び図７Ｂは、グラフィック画像５０がレンズ要素の背面２５に隣接している例示的な光偏向基材２０の概略断面図である。レンズ要素の背面２５は、レンズ要素の背面２５から突出する光透過領域２７、及び各光透過領域２７の間に凹部を形成する光反射領域２６を有するように形成されている。これらの凹部は光反射材料で充填される。
【００３３】
図に示される実施形態において、パターン形成されたリフレクタ要素がレンズ要素の背面２５に適用されることによって、凹部を充填するとともに光反射領域２６を形成している。グラフィック画像５０は、パターン形成されたリフレクタ要素上に配置される。パターン形成されたリフレクタ要素は、図に示されるようにレンズ要素の背面２５と相補的であり、レンズ要素の背面２５と嵌合する複数の凸部及び凹部を有している。多くの実施形態において、パターン形成されたリフレクタ要素はエラストマー材料で形成される。低屈折率コーティング材料５２をレンズ要素の背面２５上に配置することによって、システムの性能を向上させることができる。図７Ｂは、システムの性能を向上させるために、光透過領域２７と、グラフィック画像５０及びパターン形成されたリフレクタ要素との間に空気間隙５６が追加された状態を示す。
【００３４】
図８Ａ及び図８Ｂは、グラフィック画像がレンズ要素の背面に隣接している例示的な光偏向基材の概略断面図である。レンズ要素の背面２５は、レンズ要素の背面２５内に陥凹する光透過領域２７、及びレンズ要素の背面２５から突出し、各光透過領域２７を分離する光反射領域２６を有するように形成されている。これらの凹部は光透過材料で充填され、光反射領域２６は上記に述べたように光反射材料を含んでいる。
【００３５】
図に示される実施形態において、パターン形成されたリフレクタ要素がレンズ要素の背面２５に適用されることによって、凹部を充填するとともに光反射領域２６を形成している。グラフィック画像５０は、パターン形成されたリフレクタ要素上に配置される。パターン形成されたリフレクタ要素は、図に示されるようにレンズ要素の背面２５と相補的であり、レンズ要素の背面２５と嵌合する複数の凸部及び凹部を有している。多くの実施形態において、パターン形成されたリフレクタ要素はエラストマー材料で形成される。低屈折率の反射コーティング材料５２が、レンズ要素の背面２５上に配置される。いくつかの実施形態において、低屈折率の反射コーティング材料５２は、光透過領域２７上にのみ配置される。図８Ｂは、光透過領域２７と、グラフィック画像５０及びパターン形成されたリフレクタ要素との間に空気間隙５６が追加された状態を示す。
【００３６】
第１の照明標識が従来のグラフィックを有する拡散性の前方基材を備え、第２の照明標識がグラフィックを有する光偏向前方基材を備える点以外は、同じ２個の照明標識を構成した。平均の輝度を特定の視認位置で測定した。グラフィックを有する光偏向前方基材を備えた照明標識は、グラフィックを有する従来の拡散性の前方基材を備えた照明標識よりも３倍以上明るい平均輝度を有していた。
【００３７】
以上、光偏向標識基材の実施形態を開示した。上記の実施形態及び他の実施形態は以下の「特許請求の範囲」の範囲内である。本開示が、開示されたもの以外の実施形態によって実施されうる点は当業者であれば認識されるであろう。開示された実施形態は、例示の目的で提示されたものであって、限定的なものではなく、本発明は以下の「特許請求の範囲」によってのみ限定される。
【図１】
2013516646.tif 000003
【図２】
2013516646.tif 000004
【図３】
2013516646.tif 000005
【図４Ａ】
2013516646.tif 000006
【図４Ｂ】
2013516646.tif 000007
【図５Ａ】
2013516646.tif 000008
【図５Ｂ】
2013516646.tif 000009
【図６Ａ】
2013516646.tif 000010
【図６Ｂ】
2013516646.tif 000011
【図７Ａ】
2013516646.tif 000012
【図７Ｂ】
2013516646.tif 000013
【図８Ａ】
2013516646.tif 000014
【図８Ｂ】
2013516646.tif 000015
【国際調査報告】
2013516646.tif 000016
2013516646.tif 000017